(57)【要約】【課題】製造コストの上昇を抑えて、濃い色の記録媒体もオートフィードできる情報処理装置及び情報処理プログラムを提供する。【解決手段】情報処理装置は、記録媒体に画像形成するプリンタと、プリンタに設けられ、記録媒体の頭出し位置を可視光の赤色光によって検知する赤色センサと、プリンタに設けられ、記録媒体の側端を赤外線によって検知する赤外線センサと、業務アプリケーションに固有に割り当てられる業務アプリケーション名ごとに記録媒体の検知モードを格納する設定ファイルと、  起動された業務アプリケーションの業務アプリケーション名に基づいて設定ファイルから検知モードを読み出し、検知モードが高感度検出を行う旨を示す場合、赤外線センサによって記録媒体の頭出し位置を検知し、検知モードが高感度検出を行わない旨を示す場合、赤色センサによって記録媒体の頭出し位置を検知する制御部と、を備える。【選択図】図８
2015160705.tif 000002
【特許請求の範囲】
【請求項１】
記録媒体に画像形成するプリンタと、
前記プリンタに設けられ、前記記録媒体の頭出し位置を可視光の赤色光によって検知する赤色センサと、
前記プリンタに設けられ、前記記録媒体の側端を赤外線によって検知する赤外線センサと、
業務アプリケーションに固有に割り当てられる業務アプリケーション名ごとに前記記録媒体の検知モードを格納する設定ファイルと、
起動された前記業務アプリケーションの前記業務アプリケーション名に基づいて前記設定ファイルから前記検知モードを読み出し、前記検知モードが高感度検出を行う旨を示す場合、前記赤外線センサによって前記記録媒体の頭出し位置を検知し、前記検知モードが高感度検出を行わない旨を示す場合、前記赤色センサによって前記記録媒体の頭出し位置を検知する制御部と、
を備える情報処理装置。
【請求項２】
前記赤色センサは、
前記プリンタの記録媒体搬送路の末端部であって、前記記録媒体に画像形成する印字ヘッドを支持する印字ヘッド部の下方の印字開始位置近傍に前記記録媒体搬送路を挟み、前記印字ヘッド部と対向して配置される請求項１記載の情報処理装置。
【請求項３】
前記赤外線センサは、
前記記録媒体に画像形成する印字ヘッドを支持する印字ヘッド部に設置され、記録媒体を押し当てるガイド部の側端に設けられる請求項１記載の情報処理装置。
【請求項４】
記録媒体に画像形成するプリンタと、
前記プリンタに設けられ、前記記録媒体の頭出し位置を可視光の赤色光によって検知する赤色センサと、
前記プリンタに設けられ、前記記録媒体の側端を赤外線によって検知する赤外線センサと、
業務アプリケーションに固有に割り当てられる業務アプリケーション名ごとに前記記録媒体の検知モードを格納する設定ファイルと、
を備える情報処理装置を、
起動された前記業務アプリケーションの前記業務アプリケーション名に基づいて前記設定ファイルから前記検知モードを読み出す検知モード判定手段と、
前記検知モードが高感度検出を行う旨を示す場合、前記赤外線センサによって前記記録媒体の頭出し位置を検知し、前記検知モードが高感度検出を行わない旨を示す場合、前記赤色センサによって前記記録媒体の頭出し位置を検知する記録媒体検知手段と、
として機能させるための情報処理プログラム。
【請求項５】
前記赤色センサは、
前記プリンタの記録媒体搬送路の末端部であって、前記記録媒体に画像形成する印字ヘッドを支持する印字ヘッド部の下方の印字開始位置近傍に前記記録媒体搬送路を挟み、前記印字ヘッド部と対向して配置される請求項４記載の情報処理プログラム。
【請求項６】
前記赤外線センサは、
前記記録媒体に画像形成する印字ヘッドを支持する印字ヘッド部に設置され、記録媒体を押し当てるガイド部の側端に設けられる請求項４記載の情報処理プログラム。
【発明の詳細な説明】
【技術分野】
【０００１】
本発明の実施形態は、情報処理装置及び情報処理プログラムに関する。
【背景技術】
【０００２】
従来、請求書や売上伝票の情報処理及び印字処理に特化した情報処理装置、いわゆる事務コンピュータが知られている。
【０００３】
この情報処理装置は、ディスプレイ、キーボード、マウスなどの入出力装置と、複写帳票に印字可能なプリンタと、を備える。これらのうち、本体部にディスプレイと、プリンタと、が一体に構成されている。
【０００４】
プリンタは、記録媒体搬送路の末端部に複数設けられ、可視光の赤色光を用いて記録媒体を検知する赤色センサと、印字ヘッド部に設けられ、赤外線によって記録媒体を検知する赤外線センサと、を備える。
【０００５】
赤色センサは用紙の上端部の検知と、記録媒体が斜めになったことの検知と、を行い、赤外線センサは記録媒体の側端部の検知を行う。
【０００６】
従来の情報処理装置においては、記録媒体が濃い色である場合、記録媒体を検知できないことがあった。
【０００７】
赤外線センサは赤色センサよりも感度がよく、濃い色の記録媒体を検知することができる。従って、赤色センサの代わりに赤外線センサを用いることも考えられる。
【０００８】
しかし、赤外線センサは高価である。また、赤色センサと、赤外線センサとは互いに対向する位置に配置される。従って、赤色センサをそのままの位置で赤外線センサに置き換えることは、互いに干渉してしまうためできない。
【先行技術文献】
【特許文献】
【０００９】
【特許文献１】特開２０１３−１５０７号公報
【発明の概要】
【発明が解決しようとする課題】
【００１０】
従って、製造コストの上昇を抑えて、濃い色の記録媒体もオートフィードできる情報処理装置及び情報処理プログラムが求められている。
【課題を解決するための手段】
【００１１】
上記の課題を解決するために、本発明の一実施形態は、記録媒体に画像形成するプリンタと、プリンタに設けられ、記録媒体の頭出し位置を可視光の赤色光によって検知する赤色センサと、プリンタに設けられ、記録媒体の側端を赤外線によって検知する赤外線センサと、業務アプリケーションに固有に割り当てられる業務アプリケーション名ごとに記録媒体の検知モードを格納する設定ファイルと、  起動された業務アプリケーションの業務アプリケーション名に基づいて設定ファイルから検知モードを読み出し、検知モードが高感度検出を行う旨を示す場合、赤外線センサによって記録媒体の頭出し位置を検知し、検知モードが高感度検出を行わない旨を示す場合、赤色センサによって記録媒体の頭出し位置を検知する制御部と、を備える情報処理装置を提供する。
【図面の簡単な説明】
【００１２】
【図１】情報処理装置の外観斜視図である。
【図２】情報処理装置の構成を示すブロック図である。
【図３】プリンタの記録媒体搬送路付近を模式的にあらわした側面図である。
【図４】記録媒体搬送路の上端部の正面図である。
【図５】印字ヘッド部の背面斜視図である。
【図６】設定ファイルのデータ構成を示す図である。
【図７】高感度用紙検出設定画面の例を示す図である。
【図８】情報処理装置の制御部による記録媒体検知動作を示すフローチャートである。
【発明を実施するための形態】
【００１３】
以下、情報処理装置及び情報処理プログラムの一実施形態について、図面を用いて詳細に説明する。
【００１４】
本実施形態の情報処理装置は、記録媒体に画像形成するプリンタと、プリンタに設けられ、記録媒体の頭出し位置を可視光の赤色光によって検知する赤色センサと、プリンタに設けられ、記録媒体の側端を赤外線によって検知する赤外線センサと、業務アプリケーションに固有に割り当てられる業務アプリケーション名ごとに記録媒体の検知モードを格納する設定ファイルと、  起動された業務アプリケーションの業務アプリケーション名に基づいて設定ファイルから検知モードを読み出し、検知モードが高感度検出を行う旨を示す場合、赤外線センサによって記録媒体の頭出し位置を検知し、検知モードが高感度検出を行わない旨を示す場合、赤色センサによって記録媒体の頭出し位置を検知する制御部と、を備える。
【００１５】
図１は、情報処理装置１の外観斜視図である。図１に示すように、情報処理装置１は、記録媒体に画像形成するプリンタ１４と、プリンタ１４に一体に設けられるディスプレイなどの表示装置１１と、キーボード１２及びマウス１３などの入力装置と、を備える。
【００１６】
プリンタ１４は、情報処理装置１の前面に記録媒体を挿入する挿入孔１４Ａと、表示装置１１の背後に記録媒体を排出する排出口と、を備える。情報処理装置１の前面とは、図１の手前側であり、背面とは、図１の奥側である。
【００１７】
プリンタ１４は複写帳票に印字可能な画像形成部を備える。画像形成部は例えばドットマトリックスヘッドなどが挙げられる。オペレータは挿入孔１４Ａから記録媒体を挿入する。オートフィードモードの場合ユーザが記録媒体を挿入孔１４Ａに挿入すると情報処理装置１は自動的に記録媒体を吸引し、プリンタ１４に供給する。
【００１８】
なお、画像形成部はレーザープリンタのような電子式のものであっても、インクジェット式のものであってもよい。
【００１９】
図２は、情報処理装置１の構成を示すブロック図である。図２に示すように、情報処理装置１は、演算装置であるＣＰＵ（ｃｅｎｔｒａｌ  ｐｒｏｃｅｓｓｉｎｇ  ｕｎｉｔ）を含む制御部１０１と、メモリ、ハードディスクドライブなどの記憶装置を含む記憶部１０２と、表示装置１１、キーボード１２、マウス１３などの入出力装置を含む入出力部１０３と、プリンタ１４と、通信を行う通信部１０５と、を備える。
【００２０】
記憶部１０２は、オペレーションシステム（以下、オペレーションシステムをＯＳという。）１０２Ａと、メニュープログラム、プリンタ制御プログラムなどのミドルウエア１０２Ｂと、具体的な業務を行う業務アプリケーション１０２Ｃと、業務アプリケーション１０２Ｃごとに記録媒体の検知モードを格納する設定ファイル１０２Ｄと、を格納する。
【００２１】
また、記憶部１０２は情報処理プログラムを格納し、制御部１０１は記憶部１０２から情報処理プログラムを読み出して順次実行する。
【００２２】
プリンタ１４は、赤色センサ１０４Ａと、赤外線センサ１０４Ｂと、画像形成部１０４Ｃとを備える。
【００２３】
赤色センサ１０４Ａは、記録媒体搬送路の末端部に複数設けられ、可視光の赤色光を用いて記録媒体を検知する。赤色センサ１０４Ａは、可視光の赤色光を照射する発光素子と、記録媒体によって反射された赤色光を受光して電気信号に変換する受光素子と、を備える。
【００２４】
赤外線センサ１０４Ｂは、印字ヘッド部に設けられ、赤外線によって記録媒体を検知する。赤外線センサ１０４Ｂは、赤外線を照射する赤外線照射素子と、記録媒体によって反射された赤外線を検知して電気信号に変換する受信素子と、を備える。赤外線センサ１０４Ｂは、赤色センサ１０４Ａよりも高感度であり、濃い色の記録媒体であっても検出可能である。
【００２５】
画像形成部１０４Ｃは、印字データを印字ヘッド部が駆動する駆動データに変換し、印字ヘッドを駆動させて記録媒体に画像形成させる。
【００２６】
オペレータは情報処理装置１の電源を投入することによってＯＳを立ち上げる。情報処理装置１は、オペレータの指示に従って指定された業務アプリケーション１０２Ｃを実行する。
【００２７】
通信部１０５は、ネットワークを介してサーバの通信部と接続する。
【００２８】
図３は、プリンタ１４の記録媒体搬送路付近を模式的にあらわした側面図である。図３に示すように、プリンタ１４は、横方向から上方向に湾曲して設けられる記録媒体搬送路３０２と、記録媒体に画像形成する印字ヘッドを支持する印字ヘッド部３０４と、記録媒体搬送路３０２の末端部であって、印字ヘッド部３０４の下方に記録媒体搬送路を挟み、印字ヘッド部３０４と対向して配置される複数の赤色センサ１０４Ａと、記録媒体を搬送する搬送ローラ３０１と、を備える。
【００２９】
記録媒体は矢印Ｘ１に示す前面方向から挿入孔１４Ａに挿入され、画像形成後に上方から排出される。
【００３０】
赤色センサ１０４Ａは、搬送ローラ３０１と干渉しない位置に配置される。
【００３１】
図４は、記録媒体搬送路３０２の上端部の正面図である。図４において、プリンタ１４は、赤色センサ１０４Ａを６個備える。なお、赤色センサ１０４Ａは、記録媒体の頭出し位置に少なくとも３個設ければよく、個数は６個に限らない。
【００３２】
情報処理装置１は、複数の赤色センサ１０４Ａの出力がすべて同時にＯＮとなった場合、記録媒体にスキュー、すなわち斜め搬送が生じていない状態により記録媒体が頭出し位置に達したと判定し、いずれかの赤色センサ１０４Ａの出力が他の赤色センサ１０４Ａの出力よりも先にＯＮとなった場合、スキューまたはジャムが発生したと判定する。
【００３３】
図５は、印字ヘッド部３０４の背面斜視図である。図５に示すように、印字ヘッド部３０４は、インクリボンを記録媒体に押圧するピンを有する印字ヘッド３０４Ａと、記録媒体を記録媒体搬送路３０２の用紙ガイド方向に押し当てるガイド部３０４Ｂと、ガイド部３０４Ｂの側端に設けられる赤外線センサ１０４Ｂと、を備える。以下の説明では、赤外線センサ１０４Ｂの位置を左端として説明する。なお、赤外線センサ１０４Ｂの位置は、側端であればよく、左端であっても右端であってもよい。
【００３４】
ガイド部３０４Ｂは、ピンが出入りするピン窓３０４Ｃを備える。
【００３５】
印字ヘッド部３０４は、横方向左右に移動しながら印字ヘッド３０４Ａがピンを、インクリボンを介して記録媒体に押圧することにより記録媒体に画像形成する。
【００３６】
情報処理装置１は、印字ヘッド部３０４が左方向に移動するときに、赤外線センサ１０４Ｂの出力がＯＮからＯＦＦに変化した場合、記録媒体の左端を検知したと判定する。
【００３７】
図６は、設定ファイル１０２Ｄのデータ構成を示す図である。図６に示すように、設定ファイル１０２Ｄは、業務アプリケーションに固有に割り当てられる名称である「業務アプリケーション名」と、赤外線センサによって高感度に記録媒体を検知するか否かを示す検知モードである「高感度検出」と、を格納する。
【００３８】
「業務アプリケーション名」は、例えば、「請求書発行」、「納品書発行」である。「高感度検出」には、高感度検出を行うことを示す「ＯＮ」と、高感度検出を行わないことを示す「ＯＦＦ」と、のいずれかが格納される。
【００３９】
各データの例は、業務アプリケーション名が「請求書発行」、高感度検出が「ＯＮ」である。
【００４０】
図７は、高感度用紙検出設定画面７０１の例を示す図である。図７に示すように、高感度用紙検出設定画面７０１は、業務アプリケーション名を選択入力するプルダウンメニューである選択入力部７０２と、高感度用紙検出の有効又は無効、すなわち高感度検出の「ＯＮ」又は「ＯＦＦ」を設定するラジオボタンである高感度検出設定部７０３と、設定を指示するＯＫボタン７０４と、を備える。
【００４１】
情報処理装置１は、ＯＫボタン７０４が押下されたと判定した場合、指定された設定を設定ファイル１０２Ｄに格納する。
【００４２】
オペレータは、濃い色の記録媒体に画像形成する場合には高感度検出設定部７０３において「有効」を選択し、濃い色の記録媒体以外の記録媒体に画像形成する場合には高感度検出設定部７０３において「無効」を選択する。
【００４３】
図８は、情報処理装置１の制御部１０１による記録媒体検知動作を示すフローチャートである。図８に示すように、ステップ８０１において、情報処理装置１は業務アプリケーション１０２Ｃが起動されると当該業務アプリケーション１０２Ｃの業務アプリケーション名に基づいて設定ファイルを検索し、「高感度検出」に格納された値を読み込む。
【００４４】
ここで、高感度検出がＯＮであった場合、情報処理装置１はプリンタ１４に赤外線センサ１０４Ｂによって記録媒体の頭出しを検知する旨のコマンドを送信してもよい。
【００４５】
ステップ８０２において、情報処理装置１は起動されている業務アプリケーション１０２Ｃの動作によって入力項目の入力を行う。
【００４６】
ステップ８０３において、情報処理装置１は印刷指示があったか否かを判定する。情報処理装置１は、印刷指示があったと判定した場合（ステップ８０３のＹ）、ステップ８０４に進む。情報処理装置１は、印刷指示がないと判定した場合（ステップ８０３のＮ）、ステップ８０２に戻る。
【００４７】
ステップ８０４において、情報処理装置１は読み込んだ高感度検出がＯＮであるか否かを判定する。情報処理装置１は、読み込んだ高感度検出がＯＮであると判定した場合（ステップ８０４のＹ）、ステップ８０５に進む。情報処理装置１は、読み込んだ高感度検出がＯＦＦであると判定した場合（ステップ８０４のＮ）、ステップ８０６に進む。
【００４８】
ステップ８０５において、情報処理装置１は赤外線センサ１０４Ｂによって記録媒体の頭出しを検知する。
【００４９】
具体的には、情報処理装置１は、赤外線センサ１０４Ｂの出力がＯＦＦからＯＮに変わったと判定した場合、記録媒体が印刷位置に頭出しされたと判定する。
【００５０】
ステップ８０６において、情報処理装置１は赤色センサ１０４Ａによって記録媒体の頭出しを検知する。
【００５１】
具体的には、情報処理装置１は、赤色センサ１０４Ａの出力が、すべて同時にＯＦＦからＯＮに変わったと判定した場合、記録媒体が印刷位置に正常に頭出しされたと判定する。
【００５２】
ステップ８０７において、情報処理装置１は記録媒体が印刷位置に頭出しされたと判定した場合、記録媒体に画像形成を開始する。
【００５３】
以上述べたように、本実施形態の情報処理装置１は、記録媒体に画像形成するプリンタ１４と、記録媒体に画像形成する印字ヘッドを支持する印字ヘッド部３０４と、記録媒体搬送路３０２の末端部であって、印字ヘッド部３０４の下方の印字開始位置近傍に記録媒体搬送路を挟み、印字ヘッド部３０４と対向して配置される複数の赤色センサ１０４Ａと、印字ヘッドを有する印字ヘッド部３０４の記録媒体を押し当てるガイド部３０４Ｂの左端に設けられる赤外線センサ１０４Ｂと、業務アプリケーション１０２Ｃに固有に割り当てられる業務アプリケーション名ごとに記録媒体の検知モードを格納する設定ファイル１０２Ｄと、起動された業務アプリケーション１０２Ｃの業務アプリケーション名に基づいて設定ファイルから検知モードを読み出し、検知モードが高感度検出を行う旨を示す場合、赤外線センサ１０４Ｂによって記録媒体の頭出し位置を検知し、検知モードが高感度検出を行わない旨を示す場合、赤色センサ１０４Ａによって記録媒体の頭出し位置を検知する制御部と、を備える。
【００５４】
従って、製造コストの上昇を抑えて、濃い色の記録媒体もオートフィードできるという効果がある。
【００５５】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１：情報処理装置
１１：ディスプレイ
１２：キーボード
１３：マウス
１４：プリンタ
１０４Ａ：赤色センサ
１０４Ｂ：赤外線センサ
【図１】
2015160705.tif 000003
【図２】
2015160705.tif 000004
【図３】
2015160705.tif 000005
【図４】
2015160705.tif 000006
【図５】
2015160705.tif 000007
【図６】
2015160705.tif 000008
【図７】
2015160705.tif 000009
【図８】
2015160705.tif 000010